(57)【要約】  本発明では、電子名刺情報交換方法および装置が提供されている。本発明の電子名刺情報交換方法は、第１の端末が、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶することによって達成される。その結果、二つの端末のうちの一方がパワー・オフ状態にあるときに電子名刺情報交換が達成されないという従来技術における問題点が解決される。【選択図】図１
2017525322.tif 000002
【特許請求の範囲】
【請求項１】
パワー・オフ状態にある第１の端末が、第２の端末から供給される誘導電気エネルギーを取得するステップと、
前記誘導電気エネルギーによって駆動された前記第１の端末が、前記第１の端末に局所的に格納されている第１の電子名刺情報を前記第２の端末へ送信するステップと、
前記誘導電気エネルギーによって駆動された前記第１の端末が、前記第２の端末に書き込まれている第２の電子名刺情報を第２の端末から受信して記憶するステップと、を備えることを特徴とする、電子名刺情報交換方法。
【請求項２】
前記パワー・オフ状態にある前記第１の端末が、前記第２の端末から供給される前記誘導電気エネルギーを取得する前記ステップは、
−  前記第１の端末が、カード・モードに対応する近距離無線通信（ＮＦＣ）方式を選択し、前記誘導電気エネルギーを検出および取得するステップを備え、
前記パワー・オフ状態にある前記第１の端末が、前記第２の端末から供給される前記誘導電気エネルギーを取得する前記ステップは、前記ステップのその前に、
−  前記第１の端末が、前記第１の端末の電力残量を検出するステップと、
−  前記第１の端末が、前記第１の端末の前記電力残量が所定の閾値未満である場合、前記第１の端末を前記カード・モードに対応するＮＦＣ方式に切り替えるステップと、をさらに備えることを特徴とする、請求項１に記載の電子名刺情報交換方法。
【請求項３】
前記誘導電気エネルギーによって駆動された前記第１の端末が、前記第２の端末に書き込まれている前記第２の電子名刺情報を前記第２の端末から受信して記憶する前記ステップは、前記ステップのその後に、
前記第１の端末が、前記第１の端末のパワー・オン後に前記第２の電子名刺情報を表示するステップをさらに備えることを特徴とする、請求項２に記載の電子名刺情報交換方法。
【請求項４】
第２の端末が、パワー・オフ状態にある第１の端末に誘導電気エネルギーを供給するステップと、
前記第２の端末が、前記誘導電気エネルギーによって駆動された前記第１の端末から送信された第１の電子名刺情報を受信するステップと、
前記誘導電気エネルギーによって駆動された前記第１の端末が前記第２の端末に局所的に格納されている第２の電子名刺情報を受信し記憶するように、前記第２の端末が、前記第１の端末に前記第２の電子名刺情報を書き込むステップと、を備えることを特徴とする、電子名刺情報交換方法。
【請求項５】
前記第２の端末が、前記パワー・オフ状態にある前記第１の端末に前記誘導電気エネルギーを供給する前記ステップは、
−  前記第２の端末が、リーダ／ライタ・モード以外のモードに対応する近距離無線通信（ＮＦＣ）方式を選択して、前記第１の端末に前記誘導電気エネルギーを供給するステップを備え、
前記第２の端末は、ＮＦＣチップを備え、
前記第２の端末が、前記パワー・オフ状態にある前記第１の端末に前記誘導電気エネルギーを供給する前記ステップは、前記ステップのその後に、
−  前記第２の端末が、前記第１の端末の通信方式をカード・モードに対応するＮＦＣ方式であることを認識したときに、前記第２の端末の通信方式を前記リーダ／ライタ・モードに対応する前記ＮＦＣ方式に切り替えるステップをさらに備えることを特徴とする、請求項４に記載の電子名刺情報交換方法。
【請求項６】
電子名刺端末である第１の端末に構成される電子名刺情報交換装置であって、
前記第１の端末がパワー・オフ状態にあるときに第２の端末から供給される誘導電気エネルギーを取得する電力供給モジュールと、
前記誘導電気エネルギーによって駆動された前記第１の端末に局所的に格納されている第１の電子名刺情報を、前記第２の端末へ送信する第１の駆動モジュールと、
前記第２の端末に書き込まれている第２の電子名刺情報を、前記誘導電気エネルギーによって駆動された前記第１の端末に受信させて記憶させる第２の駆動モジュールと、を備えることを特徴とする、電子名刺情報交換装置。
【請求項７】
前記電力供給モジュールは、前記第１の端末の通信方式にカード・モードに対応する近距離無線通信（ＮＦＣ）方式を選択して、前記誘導電気エネルギーの検出および取得のために用いられ、
前記電子名刺情報交換装置は、
−  電力残量を検出する検出モジュールと、
−  前記電力残量が所定の閾値未満である場合、前記通信方式を前記カード・モードに対応する前記ＮＦＣ方式に切り替える切り替えモジュールと、をさらに備えることを特徴とする、請求項６に記載の電子名刺情報交換装置。
【請求項８】
前記第１の端末のパワー・オン後に、前記第２の電子名刺情報を表示する表示モジュールをさらに備えることを特徴とする、請求項６または７に記載の電子名刺情報交換装置。
【請求項９】
電子名刺端末である第２の端末に構成される電子名刺情報交換装置であって、
パワー・オフ状態にある第１の端末に誘導電気エネルギーを供給する電力供給モジュールと、
前記誘導電気エネルギーによって駆動された前記第１の端末から送信された第１の電子名刺情報を受信する受信モジュールと、
第２の端末に局所的に格納されている第２の電子名刺情報が前記第１の端末に受信されて記憶されるように、前記誘導電気エネルギーによって駆動された前記第１の端末に前記第２の電子名刺情報を書き込む書き込みモジュールと、を備えることを特徴とする、電子名刺情報交換装置。
【請求項１０】
前記電力供給モジュールは、特に、リーダ／ライタ・モード以外の近距離無線通信（ＮＦＣ）の動作モードを選択して、前記第１の端末への前記誘導電気エネルギーの供給のために用いられ、
前記電子名刺情報交換装置は、
−  前記第１の端末の通信方式がカード・モードに対応する前記ＮＦＣ方式であることを認識したときに、前記第２の端末の通信方式をリーダ／ライタ・モードに対応するＮＦＣ方式に切り替える切り替えモジュールをさらに備えることを特徴とする、請求項９に記載の電子名刺情報交換装置。
【発明の詳細な説明】
【技術分野】
【０００１】
本発明は、情報技術に関し、より具体的には、電子名刺情報交換方法および装置に関する。
【背景技術】
【０００２】
電子名刺情報は、従来の紙の名刺の全情報を電子文書として記録した名刺の新しい形態である。代表的な電子名刺情報には、テキストや静止画像のみならず、動画または音声等のマルチメディア情報が含まれていることもある。電子名刺情報は、モバイル端末に記憶されてもよい。ユーザは、ユーザ同士で電子名刺交換を実施するために、モバイル端末間の通信接続を用いてもよい。モバイル端末は、一般的なインテリジェント端末でもよく、特に電子名刺情報交換を実施するための電子名刺端末であってもよい。
【発明の概要】
【発明が解決しようとする課題】
【０００３】
従来の技術では、二つの端末間で電子名刺情報交換を実施するために、ポイント・ツー・ポイント通信が用いられることが多い。しかしながら、ポイント・ツー・ポイント通信では、両方の端末が通電状態にあることが必須であり、一方の端末がパワー・オフ状態にある場合、電子名刺情報交換が達成されない可能性がある。
【課題を解決するための手段】
【０００４】
本発明の目的は、二つの端末のうちの一方がパワー・オフ状態であっても、電子名刺情報交換が達成できるようになされた電子名刺情報交換方法および装置を提供することである。
【０００５】
本発明の第１の態様では、以下のステップを含む電子名刺情報交換方法が提供されている：
−  パワー・オフ状態にある第１の端末が、第２の端末から供給される誘導電気エネルギーを取得するステップと、
−  誘導電気エネルギーによって駆動された第１の端末が、第１の端末に局所的に格納されている第１の電子名刺情報を第２の端末へ送信するステップと、
−  誘導電気エネルギーによって駆動された第１の端末が、第２の端末に書き込まれている第２の電子名刺情報を第２の端末から受信して記憶するステップ。
【０００６】
本発明の第２の態様では、以下のステップを含む電子名刺情報交換方法が提供されている：
−  第２の端末が、パワー・オフ状態にある第１の端末に誘導電気エネルギーを供給するステップと、
−  第２の端末が、誘導電気エネルギーによって駆動された第１の端末から送信された第１の電子名刺情報を受信するステップと、
−  誘導電気エネルギーによって駆動された第１の端末が第２の端末に局所的に格納されている第２の電子名刺情報を受信し記憶するように、第２の端末が、第１の端末に第２の電子名刺情報を書き込むステップ。
【０００７】
本発明の第３の態様では、電子名刺端末である第１の端末に構成され、且つ以下を含む電子名刺情報交換装置が提供されている：
−  第１の端末がパワー・オフ状態にあるときに、第２の端末から供給される誘導電気エネルギーを取得する電力供給モジュールと、
−  第１の端末が誘導電気エネルギーによって駆動されている間に、第１の端末に局所的に格納されている第１の電子名刺情報を第２の端末へ送信する第１の駆動モジュールと、
−  第１の端末が誘導電気エネルギーによって駆動されている間に、第２の端末に書き込まれている第２の電子名刺情報を第２の端末から受信して記憶する第２の駆動モジュール。
【０００８】
本発明の第４の態様では、電子名刺端末である第２の端末に構成され、且つ以下を含む電子名刺情報交換装置が提供されている：
−  パワー・オフ状態にある第１の端末に誘導電気エネルギーを供給する電力供給モジュールと、
−  誘導電気エネルギーによって駆動された第１の端末から送信された第１の電子名刺情報を受信する受信モジュールと、
−  誘導電気エネルギーによって駆動された第１の端末が第２の端末に局所的に格納されている第２の電子名刺情報を受信し記憶するように、第１の端末に第２の電子名刺情報を書き込む書き込みモジュール。
【０００９】
本発明では、電子名刺情報交換方法および装置が提供されている。本発明の電子名刺情報交換方法は、第１の端末が、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶することによって達成される。その結果、二つの端末のうちの一方がパワー・オフ状態にあるときに電子名刺情報交換が達成されないという従来技術における問題点が解決される。
【図面の簡単な説明】
【００１０】
【図１】図１は、本発明の一実施形態に係る電子名刺情報交換方法のフローチャートである。
【図２】図２は、本発明の他の実施形態に係る電子名刺情報交換方法のフローチャートである。
【図３】図３は、本発明の一実施形態に係る電子名刺情報交換装置の概略的な構造図である。
【図４】図４は、本発明の一実施形態に係る他の電子名刺情報交換装置の概略的な構造図である。
【図５】図５は、本発明の他の実施形態に係る電子名刺情報交換装置の概略的な構造図である。
【図６】図６は、本発明のさらに他の実施形態に係る電子名刺情報交換装置の概略的な構造図である。
【発明を実施するための形態】
【００１１】
図１は、本発明の一実施形態に係る電子名刺情報交換方法のフローチャートである。本実施形態によって提供される方法は、二つの端末間で電子名刺情報交換を実施するために用いられてもよい。第１の端末および第２の端末と称されるこれらの端末は、一般的なスマート端末または電子名刺端末であってもよい。本実施形態では、第１の端末はパワー・オフ状態にあり、第２の端末はパワー・オン状態にある。図１に示されるように、この電子名刺情報交換方法は、以下に説明されるステップを含んでいる。
【００１２】
１０１は、パワー・オフ状態にある第１の端末が、第２の端末から供給される誘導電気エネルギーを取得するステップである。
【００１３】
第１の端末は、近距離無線通信（ＮＦＣ）の動作モードであるカード・モードを必要に応じて選択して、誘導電気エネルギーを取得する。具体的には、第１の端末が通電状態およびパワー・オン状態にあるときに、第１の端末および第２の端末は、夫々の端末の近距離無線通信チップ（ＮＦＣチップ）を用いてポイント・ツー・ポイント（Ｐ２Ｐ）通信を確立することができる。第１の端末は、リアルタイムで電力残量を検出する。検出された電力残量が所定の閾値未満である場合、第１の端末は、第１の端末のＮＦＣチップの動作モードをカード・モードに切り替える。電力がなくパワー・オフ状態にある第１の端末が第２の端末に近づけられると、第２の端末がパワー・オン状態にあるために、第１の端末のＮＦＣチップはリーダ／ライタ・モードまたはカード・モードで動作するが、Ｐ２Ｐモードで動作してもよい。第２の端末は、第１の端末のＮＦＣチップが対応する機能を達成できるように、誘導コイルを介して第１の端末のＮＦＣチップに誘導電気エネルギーを供給する。第１の端末は、ＮＦＣのカード・モードを選択して誘導電気エネルギーを取得する前に、パワー・オン状態における電力残量を検出し、検出された電力残量が所定の閾値未満である場合、第１の端末は通信方式をカード・モードに対応するＮＦＣ方式に切り替える。
【００１４】
或いは、第１の端末は、ワイヤレス充電方式を必要に応じて選択して誘導電気エネルギーを取得する。
【００１５】
１０２は、誘導電気エネルギーによって駆動された第１の端末が、第１の端末に局所的に格納されている第１の電子名刺情報を第２の端末へ送信するステップである。
【００１６】
具体的には、第２の端末は、第１の端末に誘導電気エネルギーを供給しながら第１の端末との間に第１の通信を確立することができる。第２の端末は、第１の通信を介して、第１の端末がパワー・オフ状態にあることと、第１の端末のＮＦＣチップがカード・モードで動作していることを認識する。このとき、第２の端末のＮＦＣチップがＰ２Ｐモードまたはカード・モードで動作している場合、第２の端末は、第２の端末のＮＦＣチップの動作モードをリーダ／ライタ・モードに切り替え、すなわち、第２の端末の通信方式をリーダ／ライタ・モードに対応するＮＦＣ方式に切り替えて、その結果、誘導電気エネルギーによって駆動された第１の端末は、カード・モードで動作している第１の端末のＮＦＣチップを用いて、第１の端末に局所的に格納されている第１の電子名刺情報を第２の端末へ送信できるようになる。第２の端末は、第１の端末の記憶モジュールに格納されている第１の電子名刺情報を能動的に読み取る。すなわち、第２の端末は、プロトコルを介して第１の端末のＮＦＣチップに読み取り命令を送信する。読み取り命令を受信した第１の端末のＮＦＣチップは、通信インターフェースを介して記憶モジュールから第１の電子名刺情報を読み取り、第１の端末のアンテナを介して第２の端末に第１の電子名刺情報を送信する。
【００１７】
さらに、ＣＰＵは、第１の端末のパワー・オフ後に、ＩＩＣインターフェース、ＳＰＩインターフェース、高速シリアルインターフェース等のＣＰＵバスインターフェースを介してＮＦＣチップに対して読み取り、書き込み、および操作が可能となる。ＮＦＣチップは、ＣＰＵ上で動作しているアプリケーションから送信された第１の読み取り／書き込み命令に従って第１の電子名刺情報を構成し、その第１の電子名刺情報の構成には、ＮＦＣチップと記憶モジュールとにリンクさせた通信インターフェースを介して記憶モジュールに書き込む暗号化方式が選択されてもよい。すなわち、暗号化された第１の電子名刺情報の文書が、準備完了状態で記憶モジュールに記憶される。ユーザが第１の電子名刺情報を更新した場合、更新処理も上記の処理と同様に行われ、第１の電子名刺情報はリアルタイムで更新されて、ユーザに好都合に活用される。ユーザはプレーンテキスト形式を用いて名刺をデザインすることができ、その他の処理はユーザからの介入を必要としない。
【００１８】
１０３は、誘導電気エネルギーによって駆動された第１の端末が、第２の端末に書き込まれている第２の電子名刺情報を第２の端末から受信して記憶するステップである。
【００１９】
具体的には、第２の端末は、第２の端末に局所的に格納されている第２の電子名刺情報を書き込み命令に送り込み、プロトコルを介して第１の端末にその書き込み命令を送信する。書き込み命令を受信した第１の端末のＮＦＣチップは、通信インターフェースを介して書き込み命令に含まれた第２の電子名刺情報をチップメモリに書き込む。
【００２０】
上述の第１の電子名刺情報と第２の電子名刺情報の交換処理および記憶処理には、情報の安全性を向上させるために、暗号化文書の形式が選択されてもよいことに留意されたい。
【００２１】
さらに、パワー・オンされた第１の端末は、第１の端末の記憶モジュールに、ＮＦＣチップに記憶された第２の電子名刺情報を記憶する。加えて、パワー・オンされた第１の端末は、第２の電子名刺情報を表示してもよい。具体的には、ＣＰＵは、第１の端末のパワー・オン後に、ＩＩＣインターフェース、ＳＰＩインターフェース、高速シリアルインターフェース等のＣＰＵバスインターフェースを介してＮＦＣチップを読み取り、書き込み、および操作し、それによってＮＦＣチップは、ＣＰＵ上で動作していたアプリケーションからの第２の読み取り／書き込み命令に従って交換された名刺を読み取る。具体的には、暗号化されて記憶された第２の電子名刺情報は、ＮＦＣチップと記憶モジュールとにリンクされた通信インターフェースを介して記憶モジュールから読み取られて、読み取りが完了する。読み取られた第２の電子名刺情報は、ＣＰＵバスインターフェースを介してアプリケーションに返される。読み取られた第２の電子名刺情報は、復号化された後でプレーンテキストに回復し、ユーザに表示される。ユーザは、データベースまたは暗号化形式で文書を永久的に記憶するために、アプリケーションを介してプレーンテキストを記憶モジュールに記憶できる。プレーンテキストが記憶された後に、ユーザは、記憶モジュールのデータを保護するか否かを決定できる。記憶モジュールのデータが保護されていない場合、ユーザはスペースを解放するために、ＣＰＵバスインターフェースを介して記憶モジュールの一時データを削除できる。
【００２２】
本実施形態で示されている第１の端末および第２の端末の記憶モジュールは、ＮＦＣチップから独立したハードウェアであることに留意されたい。
【００２３】
本実施形態では、第１の端末は、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶する。このように電子名刺交換は達成され、二つの端末のうちの一方がパワー・オフ状態にあるときに電子名刺情報交換が達成されないという従来技術における問題点が解決される。
【００２４】
図２は、本発明の他の実施形態に係る電子名刺情報交換方法のフローチャートである。本実施形態によって提供される方法は、二つの端末間で電子名刺情報交換を実施するために用いられてもよい。第１の端末および第２の端末と称されるこれらの端末は、一般的なスマート端末または電子名刺端末であってもよい。本実施形態では、第１の端末はパワー・オフ状態にあり、第２の端末はパワー・オン状態にある。図２に示されるように、この電子名刺情報交換方法は、以下に説明されるステップを含んでいる。
【００２５】
２０１は、第２の端末が、誘導電気エネルギーをパワー・オフ状態にある第１の端末に供給するステップである。
【００２６】
第２の端末は、近距離無線通信（ＮＦＣ）の動作モードであるリーダ／ライタ・モードを必要に応じて選択して、第１の端末へ誘導電気エネルギーを供給する。具体的には、第１の端末が通電状態およびパワー・オン状態にあるときに、第１の端末および第２の端末は、夫々の端末の近距離無線通信チップ（ＮＦＣチップ）を用いてポイント・ツー・ポイント（Ｐ２Ｐ）通信を確立することができる。第１の端末は、リアルタイムで電力残量を検出し、検出された電力残量が所定の閾値未満である場合、第１の端末のＮＦＣチップの動作モードをカード・モードに切り替える。電力がなくパワー・オフ状態にある第１の端末が第２の端末に近づけられると、第２の端末がパワー・オン状態にあるために、第１の端末のＮＦＣチップはリーダ／ライタ・モードまたはカード・モードで動作するが、Ｐ２Ｐモードで動作してもよい。第２の端末は、第１の端末のＮＦＣチップが対応する機能を達成できるように、検出アンテナを介して第１の端末のＮＦＣチップに誘導電気エネルギーを供給する。
【００２７】
或いは、第２の端末は、ワイヤレス充電方式を必要に応じて選択して誘導電気エネルギーを供給する。
【００２８】
２０２は、第２の端末が、誘導電気エネルギーによって駆動された第１の端末から送信された第１の電子名刺情報を受信するステップである。
【００２９】
具体的には、第２の端末は、第１の端末に誘導電気エネルギーを供給しながら第１の端末との間に第１の通信を確立することができる。第２の端末は第１の通信を介して、第１の端末がパワー・オフ状態にあることと、第１の端末のＮＦＣチップがカード・モードで動作していることを認識する。第２の端末が第１の端末のＮＦＣチップの動作モードがカード・モードであることを認識すると、第２の端末は、第２の端末のＮＦＣチップの動作モードをリーダ／ライタ・モードに切り替える。すなわち、リーダ／ライタ・モード以外のモードに対応するＮＦＣ方式を選択して誘導電気エネルギーを供給した第２の端末は、第１の端末の通信方式がカード・モードに対応するＮＦＣ方式であることを認識して、第２の端末の通信方式をリーダ／ライタ・モードに対応するＮＦＣ方式に切り替える。第２の端末は、第１の端末の記憶モジュールに格納されている第１の電子名刺情報を能動的に読み取る。すなわち、第２の端末はプロトコルを介して第１の端末のＮＦＣチップに読み取り命令を送信する。読み取り命令を受信した第１の端末のＮＦＣチップは、通信インターフェースを介して記憶モジュールから第１の電子名刺情報を読み取り、第１の端末のアンテナを介して第２の端末に第１の電子名刺情報を送信する。第２の端末は、誘導電気エネルギーによって駆動された第１の端末から送信された第１の電子名刺情報を受信して記憶する。
【００３０】
２０３は、第２の端末が、第２の端末に局所的に格納されている第２の電子名刺情報を誘導電気エネルギーによって駆動された第１の端末に書き込むステップであって、その結果、第１の端末は、第２の電子名刺情報を受信して記憶する。
【００３１】
具体的には、第２の端末は、第２の端末に局所的に格納されている第２の電子名刺情報を書き込み命令に送り込み、プロトコルを介して第１の端末にその書き込み命令を送信する。書き込み命令を受信した第１の端末のＮＦＣチップは、通信インターフェースを介してその書き込み命令に含まれた第２の電子名刺情報をチップメモリに書き込む。
【００３２】
上記の第１の電子名刺情報と第２の電子名刺情報の交換処理および記憶処理には、情報の安全性を向上させるために、暗号化文書の形式が選択されてもよいことに留意されたい。
【００３３】
加えて、本実施形態で示されている第１の端末および第２の端末の記憶モジュールは、ＮＦＣチップから独立したハードウェアであることに留意されたい。
【００３４】
本実施形態では、第１の端末は、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶する。このように電子名刺交換は達成され、二つの端末のうちの一方がパワー・オフ状態にあるときに電子名刺情報交換が達成されないという従来技術における問題点が解決される。
【００３５】
図３は、本発明の一実施形態に係る電子名刺情報交換装置の概略的な構造図である。本実施形態によって提供される電子名刺情報交換装置は、パワー・オフ状態にある第１の端末に構成されており、第２の端末との電子名刺情報交換を実施するために用いられ、第１の端末および第２の端末は、電子名刺端末であってもよい。図３に示されるように、電子名刺情報交換装置は、電力供給モジュール３１と、第１の駆動モジュール３２と、第２の駆動モジュール３３とを含んでいる。
【００３６】
電力供給モジュール３１は、第１の端末がパワー・オフ状態にあるときに、第２の端末から供給される誘導電気エネルギーを取得するために用いられる。
【００３７】
第１の駆動モジュール３２は、電力供給モジュール３１と接続されており、第１の端末に局所的に格納されている第１の電子名刺情報を、誘導電気エネルギーによって駆動された第１の端末から第２の端末に送信するために用いられる。
【００３８】
具体的には、第２の端末は、第１の端末の記憶モジュールに格納されている第１の電子名刺情報を能動的に読み取る。すなわち、第２の端末は、プロトコルを介して第１の端末のＮＦＣチップに読み取り命令を送信する。読み取り命令を受信したＮＦＣチップの第１の駆動モジュール３２は、通信インターフェースを介して記憶モジュールから第１の電子名刺情報を読み取り、第１の端末のアンテナを介して第２の端末に第１の電子名刺情報を送信する。
【００３９】
第１の端末の第２の駆動モジュール３３は、電力供給モジュール３１と接続されており、誘導電気エネルギーによって駆動された第１の端末が、第２の端末に書き込まれている第２の電子名刺情報を第２の端末から受信して記憶するために用いられる。
【００４０】
本実施形態での電子名刺交換は、第１の端末が、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶することによって達成される。二つの端末のうちの一方がパワー・オフ状態にあるときに電子名刺情報交換が達成されないという従来技術における問題点が解決される。
【００４１】
図４は、本発明の一実施形態に係る他の電子名刺情報交換装置の概略的な構造図である。上述の実施形態に基づき、本実施形態の電子名刺情報交換装置は、検出モジュール４１と、切り替えモジュール４２と、表示モジュール４３とをさらに含んでいる。
【００４２】
電力供給モジュール３１は、特に、カード・モードに対応するＮＦＣ方式を選択して誘導電気エネルギーを取得するために用いられる。
【００４３】
これに基づき、検出モジュール４１は電力残量を検出するために用いられる。
【００４４】
切り替えモジュール４２は、検出モジュール４１および電力供給モジュール３１と接続されており、電力残量が所定の閾値未満である場合、通信方式をカード・モードに対応するＮＦＣ方式に切り替えるために用いられる。
【００４５】
具体的には、第１の端末の検出モジュール４１はリアルタイムで電力残量を検出し、検出された電力残量が所定の閾値未満である場合、切り替えモジュール４２が第１の端末に構成されているＮＦＣチップの動作モードをカード・モードに切り替える。
【００４６】
表示モジュール４３は、第２の駆動モジュール３３と接続されており、パワー・オンされた第１の端末へ第２の電子名刺情報を表示するために用いられる。
【００４７】
本実施形態での電子名刺交換は、第１の端末が、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶することによって達成され、二つの端末のうちの一方がパワー・オフ状態にあるときに電子名刺情報交換が達成されないという従来技術における問題点が解決される。
【００４８】
図５は、本発明の他の実施形態に係る電子名刺情報交換装置の概略的な構造図である。本実施形態によって提供される電子名刺情報交換装置は、第２の端末に構成されており、パワー・オフ状態にある第１の端末と電子名刺情報交換を達成するために用いられ、第１の端末および第２の端末は、電子名刺端末であってもよい。電子名刺情報交換装置は、電力供給モジュール５１と、受信モジュール５２と、書き込みモジュール５３とを含んでいる。
【００４９】
電力供給モジュール５１は、パワー・オフ状態にある第１の端末への誘導電気エネルギーの供給のために用いられる。
【００５０】
具体的には、パワー・オフ状態にある第１の端末が第２の端末に近づけられると、第２の端末がパワー・オン状態にあるために、第１の端末のＮＦＣチップはリーダ／ライタ・モードまたはカード・モードで動作するが、Ｐ２Ｐモードで動作してもよい。電力供給モジュール５１は、第１の端末のＮＦＣチップが対応する機能を達成できるように、誘導コイルを介して第１の端末のＮＦＣチップに誘導電気エネルギーを供給する。
【００５１】
受信モジュール５２は、電力供給モジュール５１と接続されており、誘導電気エネルギーによって駆動された第１の端末から第１の電子名刺情報を受信するために用いられる。
【００５２】
具体的には、第２の端末の受信モジュール５２は、第１の端末の記憶モジュールに格納されている第１の電子名刺情報を能動的に読み取る。すなわち、第２の端末は、プロトコルを介して第１の端末のＮＦＣチップに読み取り命令を送信する。読み取り命令を受信した第１の端末のＮＦＣチップは、通信インターフェースを介して記憶モジュールから第１の電子名刺情報を読み取り、第１の端末のアンテナを介して第２の端末の受信モジュール５２にその第１の電子名刺情報を送信する。
【００５３】
書き込みモジュール５３は、電力供給モジュール５１と接続されており、第２の端末に局所的に格納されている第２の電子名刺情報を第１の端末に書き込むために用いられ、その結果、誘導電気エネルギーによって駆動された第１の端末は、第２の電子名刺情報を受信して記憶することができる。
【００５４】
具体的には、第２の端末の書き込みモジュール５３は、第２の端末に局所的に格納されている第２の電子名刺情報を書き込み命令に送り込み、プロトコルを介して第１の端末に書き込み命令を送信する。書き込み命令を受信した第１の端末のＮＦＣチップは、通信インターフェースを介してその書き込み命令に含まれた第２の電子名刺情報をチップメモリに書き込む。
【００５５】
本実施形態での電子名刺情報の交換は、第１の端末が、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶することによって達成される。二つの端末のうちの一方がパワー・オフ状態にあるときに電子名刺情報交換が達成されないという従来技術における問題点が解決される。
【００５６】
図６は、本発明の他の実施形態に係る電子名刺情報交換装置の概略的な構造図である。上記の実施形態に基づき、本実施形態の電子名刺情報交換装置は、切り替えモジュール６１をさらに含んでいる。
【００５７】
具体的には、電力供給モジュール５１は、リーダ／ライタ・モード以外のモードに対応するＮＦＣ方式を選択して、第１の端末への誘導電気エネルギーの供給のために用いられる。
【００５８】
これに基づき、切り替えモジュール６１は、電力供給モジュール５１と接続されており、第１の端末の通信方式がカード・モードに対応するＮＦＣ方式であることが認識されたときに、第２の端末の通信方式をリーダ／ライタ・モードに対応するＮＦＣ方式に切り替えるために用いられる。
【００５９】
具体的には、第２の端末の切り替えモジュール６１は、誘導電気エネルギーを第１の端末に供給しながら第１の端末との間に第１の通信を確立することができる。切り替えモジュール６１は、第１の通信を介して、第１の端末がパワー・オフ状態にあることと、第１の端末のＮＦＣチップがカード・モードで動作していることを認識する。第２の端末のＮＦＣチップがＰ２Ｐモードまたはカード・モードで動作している場合、切り替えモジュール６１は、第２の端末のＮＦＣチップの動作モードをリーダ／ライタ・モードに切り替え、すなわち、第２の端末の通信方式をリーダ／ライタ・モードに対応するＮＦＣ方式に切り替える。
【００６０】
本実施形態での電子名刺交換は、第１の端末が、パワー・オフ状態にあるときに第２の端末から供給される誘導電気エネルギーを取得し、誘導電気エネルギーによって駆動されている間に、第１の端末に局所的に格納されている第１の電子名刺情報を第２の端末へ送信し、また第２の端末に書き込まれている第２の電子名刺情報を第２の端末から受信して記憶することによって達成される。二つの端末のうちの一方がパワー・オフ状態にあるときに電子名刺情報交換が達成されないという従来技術における問題点が解決される。
【００６１】
上述の実施形態を実施するステップの全てまたは一部は、プログラムの指示命令に対応するハードウェアを介して完了されてもよいことを、当業者なら理解するであろう。このプログラムは、モバイル機器またはコンピュータ読み取り可能な記憶媒体に記憶されてもよく、実行プログラムには本方法の上述の実施形態のステップが含まれている。上述の記憶媒体には、プログラムコードを記憶することができる読み出し専用メモリ（ＲＯＭ）、読み書き可能メモリ（ＲＡＭ）、磁気ディスク、または光ディスク等の様々な媒体が含まれている。
【００６２】
最後に、上述した実施形態は本発明の技術的な課題解決手段を示しているに過ぎず、本発明を制限しないことに留意されたい。本発明は上述の実施形態に従って詳細に説明されているが、それらの実施形態に記載された技術的な課題解決手段は様々に変更可能であること、技術的特徴の一部を同等の技術的特徴に置換可能であること、さらにこれらの変更や置換が本特許請求の趣旨および範囲から逸脱しないことを、当業者なら理解するであろう。
【図１】
2017525322.tif 000003
【図２】
2017525322.tif 000004
【図３】
2017525322.tif 000005
【図４】
2017525322.tif 000006
【図５】
2017525322.tif 000007
【図６】
2017525322.tif 000008
【国際調査報告】
2017525322.tif 000009
2017525322.tif 000010
2017525322.tif 000011
2017525322.tif 000012